Podtech/llm-jp-corpus-v4-ja_patent huggingface dataset:
(57)【要約】【課題】切断などの加工や平行に並べたりする手間を要することなく、伸線材の結晶配向性を評価することが可能なＸ線回折測定方法を提供する。【解決手段】２θ−θ法を用いて、ターゲットからのＸ線を入射コリメータを通して伸線材に当て、伸線材からの回折したＸ線を受光側コリメータを通して計数器に入射して、伸線材の複数の結晶面による回折ピークを測定する。【選択図】  図１
2006090766.tif 000002
【特許請求の範囲】
【請求項１】
２θ−θ法を用いて、ターゲットからのＸ線を入射コリメータを通して伸線材に当て、伸線材からの回折したＸ線を受光側コリメータを通して計数器に入射して、伸線材の複数の結晶面による回折ピークを測定することを特徴とする伸線材の結晶配向測定方法。
【請求項２】
請求項１記載の伸線材の結晶配向測定方法において、上記伸線材はスプールに巻かれた状態であることを特徴とする伸線材の結晶配向測定方法。
【発明の詳細な説明】
【技術分野】
【０００１】
本発明は、伸線材の結晶配向性についての情報を得るためのＸ線回折の測定方法に関する。
【背景技術】
【０００２】
伸線材は、母合金をダイス加工などによって細い線状に加工したものであり、加工後はスプールなどに巻き取られて保管される。この伸線材をＸ線回折で測定する場合、適当な大きさに切断した後に試料が平滑になるように並べて固定する必要がある。
【発明の開示】
【発明が解決しようとする課題】
【０００３】
しかし、測定の際、直径が数μｍから数十μｍの伸線材を平滑になるように並べて固定するのは煩雑であるうえ、確実に並べるのが非常に困難である。したがって、伸線材の結晶配向性を正確に評価するのは困難である。
【０００４】
したがって、本発明は、切断などの加工や平行に並べたりする手間を要することなく、伸線材の結晶配向性を評価することが可能なＸ線回折測定方法を提供することを目的とする。
【課題を解決するための手段】
【０００５】
本発明者は、スプールなどに巻かれた状態の伸線材について、巻かれた状態のままでＸ線回折測定を実施することが効果的であることを見い出た。本発明の測定方法は、スプールなどに巻かれた伸線材をその巻き取り方向とＸ線入射方向が一致するように固定したうえで、Ｘ線回折の装置構成を集中法の光学系ではなく平行ビーム系にして測定することによって解決される。
【発明の効果】
【０００６】
本発明の測定方法によれば、伸線材について、試料を破壊することなく、短時間で結晶配向性に関する資料を得ることができる。
【発明を実施するための最良の形態】
【０００７】
図１は、本発明の測定方法に用いるＸ線回折装置を説明するための斜視図である。図１において、ターゲット（Ｘ線源）１２から平行ビームを形成する入射側コリメータ１４を通して試料であるスプールに巻かれた伸線材１６にＸ線を入射し、伸線材１６からの回折したＸ線を平行ビームを形成する受光側コリメータ１８を通して計数器２０に入射して、伸線材の回折ピークを測定する。
【０００８】
すなわち、Ｘ線回折装置は平行ビーム系として光学軸調整した状態にしておく。次に、スプールなどに巻かれた状態の伸線材１６をＸ線回折装置の試料ホルダーに固定する。このとき、Ｘ線入射方向と伸線材の巻き取り方向を揃えることによって、複数の試料との結晶配向性を直接的に比較できる。なお、試料ホルダーは、大型試料が固定できるものであることが望ましい。
【０００９】
伸線材の複数の結晶面による回折ピークが計測できる測定範囲について２θ−θスキャン法で計測する。図２は、２θ−θスキャン法を説明するための平面図である。図２において、ターゲット１２の中心からゴニオメータ回転中心（試料１６の表面中心）までの距離とゴニオメータ回転中心（試料１６の表面中心）から計数器２０までの距離が等しくなる光学系において、試料表面に平行な結晶面の回折ピークを計数するには、常に入射角と出射角が同じになるように試料と計数器を回転させる必要がある。それを満たすためには、試料の回転角θに対して計数器は2倍の回転角２θとなるように走査する。
【００１０】
上記測定方法によって得られた回折パターンについて、各々の回折ピーク強度を計数する。
【実施例】
【００１１】
ここでは、スプールに巻き取られた直径１５μｍの伸線材についての実施例を示す。線状加工の際の加工強度が異なる不良品２試料（Ａ、Ｂ）について、良品との配向の度合いを比較した結果を図３に示す。図３から、不良品（図中の（ａ）および（ｂ））が良品（図中（ｃ））よりも（２２０）ピーク強度が小さいことがわかる。このように、加工強度の違いによる配向性の変化を正確に確認することが可能となる。
【００１２】
実施例で測定した３試料について、本法による測定時間と従来法（切断して並べて固定して測定に供す方法）の平均作業時間を下記の表１に示す。表から、従来法では情報を得るまでに９０分かかるのに対し、本法では４５分で情報を得ることができる。
【００１３】
【表１】
2006090766.tif 000003
【図面の簡単な説明】
【００１４】
【図１】本発明の測定方法に用いるＸ線回折装置を説明するための斜視図である。
【図２】２θ−θスキャン法を説明するための平面図である。
【図３】加工強度の異なる２試料および良品１試料の配向性評価結果である。
【符号の説明】
【００１５】
１２  ターゲット
１４  入射側コリメータ
１６  試料
１８  受光側コリメータ
２０  計数器
【図１】
2006090766.tif 000004
【図２】
2006090766.tif 000005
【図３】
2006090766.tif 000006
(57)【要約】      （修正有）【課題】  光ドロップケーブルを壁面に損傷させることなく確実に保持させることのできる光ドロップケーブル用壁面保持具を提供する。【解決手段】  光ドロップケーブルｃの断面横長形が適合する断面横長の内腔部を前記光ドロップケーブル用の収納部２とした、長手方向両端開口の、軟質樹脂製の中空帯状主体１で構成する。帯状主体１の前記収納部２の長手方向と直交する方向に該収納部２に重なり合う外側面部３を、両面接着テープａの片面を接着する平坦状にする。そして、該外側面部３に、前記収納部２と外界とを連通する細隙４を前記中空帯状主体１の長手方向の全域に設ける。【選択図】図１
2006251472.tif 000002
【特許請求の範囲】
【請求項１】
光ドロップケーブルの断面横長形が適合する断面横長の内腔部を前記光ドロップケーブル用の収納部とした、長手方向両端開口の、軟質樹脂製の中空帯状主体で成り、該帯状主体の前記収納部の長手方向と直交する方向に該収納部に重なり合う外側面部を、両面接着テープの片面を接着する平坦状と成すと共に、該外側面部に、前記収納部と外界とを連通する細隙を前記中空帯状主体の長手方向の全域に設けた、光ドロップケーブル用壁面保持具。
【発明の詳細な説明】
【技術分野】
【０００１】
本発明は、通信用として配線する光ドロップケーブルを概し、合板などで構成する屋内の壁面に保持させるために用いる光ドロップケーブル用壁面保持具に関するものである。
【背景技術】
【０００２】
光ドロップケーブルを壁面に保持させるものとして所謂ステップルがあるが、該ステップルはケーブルを容易に損傷させるため、ケーブルの保持部材と該保持部材を前記ステップルのように壁面に打ち付ける釘体を組合わせ、壁面に対する打撃操作時にケーブルを保持した保持部材に衝撃が伝達されないようにしたものが案出されている（例えば、特許文献１）。
【０００３】
【特許文献１】特開２００３−２７０４５１号公報
【発明の開示】
【発明が解決しようとする課題】
【０００４】
前記従来例は、壁面に打ち付けて光りドロップケーブルを保持する構造のため、壁面に損傷を与える。また、点在的に配置して光ドロップケーブルを部分的に保持するため、ドロップケーブルの大部分が露出され、外観的見栄えも良好とはいえず、かつ、損傷を受け易い。
【０００５】
本発明は斯様な従来例の欠点を回避した光ドロップケーブル両壁面保持具を提供すべく創案したものである。
【課題を解決するための手段】
【０００６】
光ドロップケーブルの断面横長形が適合する断面横長の内腔部を前記光ドロップケーブル用の収納部とした、長手方向両端開口の、軟質樹脂製の中空帯状主体で成り、該帯状主体の前記収納部の長手方向と直交する方向に該収納部に重なり合う外側面部を、両面接着テープの片面を接着する平坦状と成すと共に、該外側面部に、前記収納部と外界とを連通する細隙を前記中空帯状主体の長手方向の全域に設けた、構成としたものである。
【発明の効果】
【０００７】
本発明は、前記の通りの構成であるから、壁面側に片面側の接着剤を利用して両面接着テープを配設しておき、細隙を利用して収納部内に係合するようにして光ドロップケーブルを貫通（長手方向に）させて組付けた帯状主体の平坦状の外側面部を前記両面接着テープの他の片面に貼着して、当該光ドロップケーブルを壁面に保持することができ、従って、壁面に損傷を与えることなく、ケーブルの全体を套装して何等かの外力の負荷によるケーブルの損傷を防ぐことができる。
【０００８】
また、光ドロップケーブルとの組合わせに際しても、中空帯状主体の弾性変形（又は軟質性）を利用して細隙を通じて収納部内に納められ、所謂挿し込み操作（筒体に対して用いる）と較べると、ケーブルに損傷を与える可能性が少く、組合わせ後も、内腔部で成る収納部の断面横長形とドロップケーブル側の断面横長形が一致するものであるから細隙の多少の径幅の差を吸収して、ケーブルが脱落することなく、これを確実に保持して壁面の接着テープに対する止着（保持）操作を円滑に行うことができる。
【実施例】
【０００９】
図面は本発明に係る光ドロップケーブル用壁面保持具の一実施例を示し、図１は使用状態を示す断面図、図２は光ドロップケーブルとの関係を示す背面図、図３は第二実施例の使用状態を示す断面図である。
【００１０】
本発明に係る光ドロップケーブル用壁面保持具は、断面ほぼ等辺台形体の中央部に断面横長方形状の内腔部を設けた、軟質樹脂製の中空帯状主体１で構成し、該帯状主体１の前記内腔部を光ドロップケーブルｃ用の収納部２と成し、この収納部２の長手方向（前記断面横長方形の長手方向）と直交する方向に重なり合う外側面部３（前記等辺台形体の底辺部）を平坦状にして両面接着テープａの片面ａ´を接着するようにし、この外側面部３に前記収納部２と外界とを連通する細隙４を設け、該細隙４を帯状主体１の長手方向に沿う全域に設けて構成したものである。
【００１１】
保持具Ａを構成する帯状主体１は、ロール状に巻回し得るほどの軟質性を備え、当該壁面に配装する光ドロップケーブルｃの長さに対応する長さ分ロール体から切断して用いるもので、このロール体にできることにより、現場への搬送が効率的に行え、かつ、現場において長さ調節が自在に行えるので取扱い上好適である。
【００１２】
しかして、適宜の長さすなわち当該壁面（家屋の）のケーブル配線部の長さに対応する長さにロール体より切断して得た帯状主体１に、前記細隙４を構成する、前記収納部２の壁部片４ａ，４ａを主体１の弾性乃至軟質を利用して変形させつつ細隙４を拡開して該細隙４部を通して光ドロップケーブルｃを前記収納部２内に係合し（ケーブルｃ側と収納部２側の断面横長形が互いに一致するように）て、主体１にケーブルｃを貫通（主体１の長手方向に沿う両端からケーブルｃが突出するように）させるようにして組合わせ、壁面ｗの所要個所に片面ａ´´を貼着した両面接着テープａの他の片面ａ´側から剥離紙を剥がし、当該片面ａ´に、ケーブルｃを組付けた帯状主体１の外側面部３を片面ａ´に塗布した貼着剤を利用して接着することにより、光ドロップケーブルｃは壁面ｗに配線、保持されるのである。
【００１３】
なお、外側面部３の長手方向に沿う両端に突条５，５を設けることにより接着テープａは帯状主体１（保持具Ａ）によって套装され、経時変化による壁面ｗからの剥離を可及的に防止できる。
【００１４】
第二実施例は、細隙４を帯状主体１の横幅方向の一側に偏して配置したもので、配線作業時におけるケーブルｃの収納部２からの細隙４を通じての脱落を尚一層確実に防止するようにしたものである。
【図面の簡単な説明】
【００１５】
【図１】使用状態を示す断面図。
【図２】光ドロップケーブルとの関係を示す背面図。
【図３】第二実施例の使用状態を示す断面図。
【符号の説明】
【００１６】
１      帯状主体
２      収納部
３      外側面部
ａ      両面接着テープ
ｃ      光ドロップケーブル
【図１】
2006251472.tif 000003
【図２】
2006251472.tif 000004
【図３】
2006251472.tif 000005
(57)【要約】      （修正有）【課題】模型用モーター及び乾電池、歯車を利用した揺動するステッカー等の表示装置を提供する。【解決手段】模型用モーター１、模型用歯車２、３、４に乾電池５、振子型クリップ６、吸盤７を設けた電動式ステッカー表示装置である。【選択図】図２
2006251745.tif 000002
【特許請求の範囲】
【請求項１】
模型用モーター（１）模型用歯車（２）（３）（４）に乾電池（５）振子型クリップ（６）吸盤（７）を設けた電動式振子型表示装置
【発明の詳細な説明】
【技術分野】
【０００１】  この発明は模型用モーターと歯車及び吸盤を用いステッカー等を振子状に表示する装置に関するものである。
【背景技術】
【０００２】  従来模型用モーターや歯車等は玩具・人形等に用いられていた。
【発明が解決しようとする課題】
【０００３】  その為に次のような欠点があった。
（イ）利用範囲が低年齢に限られ、広範囲な活用がなされなかった。
（ロ）モーターや歯車等の特性を活かし、より多面的な応用がなされなかった。
本発明はこれらの欠点を解決するために
「図１」本発明の平面図
「図２」本発明の正面図
「図３」本発明（１）の部分正面図
「図４」本発明（２）の部分正面図
「図５」本発明（３）の部分正面図
「図６」本発明（３）の部分斜面図
「図７」本発明（４）の部分正面図
「図８」本発明（４）の部分斜面図
「図９」本発明（６）の部分正面図
「図１０」本発明（６）の部分側面図
「図１１」本発明ケースの斜面図
「図１２」本発明乾電池ケースの斜面図
「図１３」本発明乾電池ケースの平面図
「図１４」本発明ボックスの斜面図
「図１５」本発明ボックス底面部分の斜面図
「図１６」本発明ボックスの側面図
「図１７」本発明ボックス底面部分の側面図
「図１８」本発明ボックスの平面図
「図１９」本発明の実施例図
等々を用いるものである
【課題を解決するための手段】
【０００４】模型用モーター（１）模型用歯車（２）（３）（４）乾電池（５）に振子型クリップ（６）吸盤（７）を設けた電動式振子型表示装置
本発明は以上の構成から成る電動式振子型ステッカー表示装置である。
【発明を実施するための最良の形態】
【０００５】  以下本発明の実施の形態について説明する。
（イ）本発明の主素材は成樹脂ある。
（ロ）本発明のモーター（１）の歯車部分と（２）（３）（４）の歯車を咬合させ、かつそれぞれの高さを一定に設ける。
（ハ）本発明（３）の（ｃ）と（ｄ）の歯先をそれぞれ３３本と３４本設ける。
（ニ）振子型クリップ（６）を（４）の（ａ）と（９）に接続する長さに設ける。
（ホ）ケース（８）と乾電池ケース（１２）を密着させ一体に設ける。
（ヘ）ボックス（１５）と乾電池ケース（１２）を結合させるためのネジ穴（１７）と（１２）を設ける。
（ト）ボックス（１５）の片側面及びボックス底部分（２０）の底面に吸盤を設ける。
（チ）ボックス（１５）の両側面にフック（１６）を設ける。
本発明は以上のような構造で自動車窓、スクーター、自転車の前かご、商店のウィンド、室内などいたるところで接着、懸架して使用するものである。
【発明の効果】
【０００６】（イ）本発明は国内国際の各種行事、スポーツ、イベント等のステッカー、キャラクター等を表示し、より効果を高めるものである。
（ロ）本発明は交通安全キャンペーン等のステッカー、標語等の表示により、社会的寄与をもたらすものである。
（ハ）本発明の電動中は３秒程度の作動・停止を繰り返す機能によってより効果を発揮するものである。
（ニ）本発明品は縦４ｃｍ、横６ｃｍ、幅３．５ｃｍ、重さ１００ｇ程度の非常に軽少で、どこへにも自由に携帯できるものである。
【図面の簡単な説明】
【０００７】
【図１】本発明の平面図
【図２】本発明の正面図
【図３】本発明（１）の部分正面図
【図４】本発明（２）の部分正面図
【図５】本発明（３）の部分正面図
【図６】本発明（３）の部分斜面図
【図７】本発明（４）の部分正面図
【図８】本発明（４）の部分斜面図
【図９】本発明（６）の部分正面図
【図１０】本発明（６）の部分側面図
【図１１】本発明ケースの斜面図
【図１２】本発明乾電池ケースの斜面図
【図１３】本発明乾電池ケースの平面図
【図１４】本発明ボックスの斜面図
【図１５】本発明ボックス底面部分の斜面図
【図１６】本発明ボックスの側面図
【図１７】本発明ボックス底面部分の側面図
【図１８】本発明ボックスの平面図
【図１９】本発明の実施例図
【符号の説明】
【０００８】（１）乾電池の正面図
（１）の（ａ）歯先の正面図
（１）の（ｂ）銅線の部分図
（２）歯車の正面図
（２）の（ａ）歯先の正面図
（２）の（ｂ）歯先の正面図
（３）歯車の斜面図
（３）の（ａ）スプリング斜面図
（３）の（ｂ）歯先の斜面図
（３）の（ｃ）歯先の斜面図
（３）の（ｄ）歯先の斜面図
（３）の（ｅ）歯柱の部分図
（４）歯車の正面図
（４）の（ａ）回転軸、斜面図
（４）の（ｂ）歯先の斜面図
（４）の（ｃ）歯柱の部分図
（５）乾電池の斜面図
（６）振子型クリップ正面図
（６）の（ａ）クリップ部分正面図
（６）の（ｂ）振子型部分正面図
（７）吸盤の部分図
（８）主部分ケース斜面図
（９）振子型クリップを保持する部分図
（１０）本体を構成するネジ穴部分図
（１１）乾電池スイッチ部分図
（１２）乾電池ボックス部分図
（１３）ボックス（１７）と連結するネジ穴部分図
（１４）導線部分図
（１５）ボックス斜面図
（１６）フック部分図
（１７）（１３）と連結するネジ穴部分図
（１８）振子型クリップの保持棒部分図
【図１】
2006251745.tif 000003
【図２】
2006251745.tif 000004
【図３】
2006251745.tif 000005
【図４】
2006251745.tif 000006
【図５】
2006251745.tif 000007
【図６】
2006251745.tif 000008
【図７】
2006251745.tif 000009
【図８】
2006251745.tif 000010
【図９】
2006251745.tif 000011
【図１０】
2006251745.tif 000012
【図１１】
2006251745.tif 000013
【図１２】
2006251745.tif 000014
【図１３】
2006251745.tif 000015
【図１４】
2006251745.tif 000016
【図１５】
2006251745.tif 000017
【図１６】
2006251745.tif 000018
【図１７】
2006251745.tif 000019
【図１８】
2006251745.tif 000020
【図１９】
2006251745.tif 000021
(57)【要約】【課題】本発明の問題点は、ＬＥＤの差込み固定型発光装置の点滅において、分割された面電極の境界部に非点灯領域が生じ、又、この分割した面電極を同一上に配する際の難しさが課題であった。【解決手段】面電極内に均一に配した多数の電極線を複数群に分け、この電極線群に加える電流を±の両方向に流れるようにした出力をもつコントローラーで、複数の出力を各々に制御することで豊かな電飾表現を可能にすることができる。また、一方もしくは両方の面電極を複数枚設けることで、コントローラーの制御出力によるＬＥＤの複雑な点滅やＬＥＤの両面点滅を可能にした。【選択図】        図１
2006251743.tif 000002
【特許請求の範囲】
【請求項１】
±１組の面電極を設けたＬＥＤの差込み固定型発光装置において、ＬＥＤをブロック別に発光させるには、面電極を複数に分割してこれを固定する、その際、ブロック境界部の煩雑な絶縁処理と境界部がＬＥＤの非点灯領域となる欠点があるため、面電極内に複数の補助電極線を設け、コントローラーで補助電極線に流れる電流を制御することでこの欠点をなくし、容易にＬＥＤの明るさ及び点滅を可能にしたことを特徴とするＬＥＤの差込み固定型発光装置。
【請求項２】
前記±１組の面電極と電気絶縁層の他に面電極と電気絶縁層を付加することで、コントローラーの制御出力によってＬＥＤの複雑点灯及びＬＥＤの両面実装を可能としたことを特徴とするＬＥＤの差込み固定型発光装置。
【発明の詳細な説明】
【技術分野】
【０００１】  本発明は、±１組の面電極を用いてＬＥＤの点灯、点滅を自由なデザインにコントロールする制御システムに関する。
【背景技術】
【０００２】  本発明の差込み固定型発光装置においては、±１組の面電極を用い、更にこの面電極内の電極線を複数に分割し、その分割電極に加える電圧を制御するコントローラーによって、差込んだＬＥＤを分割電極単位で点滅させる装置は本発明が初めてと思われる。
【発明の開示】
【発明が解決しようとする課題】
【０００３】  本発明の解決しようとする問題点は、ＬＥＤの差込み固定型発光装置の点滅において、分割された面電極の境界部に非点灯領域が生じるため、この分割した面電極を同一上に配する際の難しさが課題となる。
【課題を解決するための手段】
【０００４】  本発明の解決手段は、面電極内に均一に配した多数の電極線を複数群に分け、この電極線群に加える電流を±の両方向に流れるようにした出力をもつコントローラーで、複数の出力を各々に制御することを可能にしたことである。【０００５】  この他に、面電極を複数設け、それに合わせてＬＥＤの絶縁部の長さと接触部の長さを組合せて複数のＬＥＤを用いて、さらにコントローラーでＬＥＤの点滅照度を制御することで、複数のデザインを同一面上に複数に表現することが可能となる。【０００６】  尚、電飾板内部に±複数組の面電極を設け、電飾板の両面からＬＥＤを差込み、その両面実装の電飾板を複数枚で組み合わせて、立体的な電飾品を製作することが可能となる。
【発明の効果】
【０００７】  前記面電極を複数に分割する方法では、面電極を複雑に分割する作業とその境界部が接触しないよう十分な注意を払った固定作業が必要であるが、面電極内の電極線群による対応の場合にはその煩わしい作業が不要となり、容易で且つ境界部における接触による不具合もなく、ＬＥＤの非点灯領域もなくなるという効果がある。【０００８】  本発明の面電極の複数化とＬＥＤの絶縁部と接触部の複合化によって、固定点灯部と複数の動画点灯部を設けることができ、より高度で芸術的な表現を安価で容易に可能とするので、電飾板としての付加価値がより一層たかまった。【０００９】  更に、±複数組の面電極を有した電飾板を組合せ、ＬＥＤを各電飾板の両面に実装させた卓上用装飾品の電飾化を安価で容易に提供できる。
【発明を実施するための最良の形態】
【００１０】  面電極内の電極線群に加える電流を±両方向に流れるようにした出力をもつコントローラーで複数の出力を各々に制御するよう実現した。
【実施例１】
【００１１】  本発明の実施形態を、実施例に基づき回路図（図１）および電極線群複数分割の方法（図２）又は面電極の複数化（図３・図４）を参照して説明する。
図１は、制御部Ａの信号をスイッチング素子Ｓ−１及びスイッチング素子Ｓー２でＯＮ・ＯＦＦさせ（＋）側の面電極ｅー１の出力電流を調整する。この面電極ｅー１と（ー）側の面電極ｅー２にＬＥＤ（ダイオード）Ｄを突き刺し固定する。【００１２】（図２）に記載の如く面電極ｅー１には、電極線が重ならないように電極線群Ｅー１・Ｅー２・Ｅー３・Ｅー４・Ｅー５を配線する。
また、（図３）及び（図４）のように面電極ｅー１・ｅー２・ｅー３を複数で構成し、ＬＥＤ（ダイオード）Ｄの接続箇所を変化させる。
【産業上の利用可能性】
【００１３】  本発明にかかるＬＥＤの差込み固定型発光装置は、商業用看板・道路標識・鉄道標識・その他広告塔等に適応され、特に放射線状にＬＥＤが点滅するため電飾品のデザインに適用させる。
【図面の簡単な説明】
【００１４】
【図１】  電気回路図
【図２】  面電極内の電極線群複数分割配線図
【図３】  面電極の複数分割断面図（例１）
【図４】  面電極の複数分割断面図（例２）
【符号の説明】
【００１５】          ｅー１…（＋）面電極
ｅー２…（ー）面電極
ｅー３…（＋）または（ー）面電極
Ｅー１…  電極線群１
Ｅー２…  電極線群２
Ｅー３…  電極線群３
Ｅー４…  電極線群４
Ｅー５…  電極線群５
Ｄ…  ＬＥＤ（ダイオード）
Ａ…  制御部
Ｓー１…  スイッチング素子（＋）
Ｓー２…  スイッチング素子（ー）
【図１】
2006251743.tif 000003
【図２】
2006251743.tif 000004
【図３】
2006251743.tif 000005
【図４】
2006251743.tif 000006
(57)【要約】【課題】作家が脳梗塞などで半身不随になった場合、口述により人を介して、作家活動を続ける場合が多いが、これを本人だけでできるよう機械化したい。【解決手段】リアルタイム音声字幕表示システムを応用した口述自動筆記のアプリケ−ションソフトを作成し、パソコンに音声入力マイクを設置し、小説などの原稿を口述によって、自動的に作成し、完成後は、ＤＶＤに収録して、印刷会社に送付し。製本する。【選択図】なし【特許請求の範囲】
【請求項１】
リアルタイム音声字幕表示システムを応用して、口述自動筆記システムのアプリケ−ションソフトを作成し、小説の原稿作成を音声の入力により、自動的に作成する、口述自動筆記作家代替機
【発明の詳細な説明】
【技術分野】
【０００１】  本発明は、口述自動筆記作家代替機に関する。
【背景技術】
【０００２】  身体的障害により、従来のように、原稿を書けなくなった作家の多くは、口述筆記により作家活動を続けているが、従来は、あくまでも口述筆記即ち、人的支援を必要とした。
【発明が解決しようとする課題】
【０００３】  人的支援による口述筆記を、人的支援によらず、機械化により作家活動を継続したい。
【課題を解決するための手段】
【０００４】  リアルタイム音声字幕表示システムを応用して、口述自動筆記のアプリケ−ションソフトを作成する。
【０００５】  パソコンに音声入力用マイクを接続する。
【０００６】  所定の原稿用紙を選択し、音声入力による原稿自動筆記を行う。
【０００７】  完成後は、ＤＶＤに収録し、印刷会社に送付する。
【発明の効果】
【０００８】  身体障害者だけではなく、健常者にとっても、原稿の完成速度が早まり効果は甚大である。
【発明を実施するための最良の形態】
【０００９】  従来、手書きしていた原稿を、音声で入力し、所定の原稿様式に自動筆記し、完成したらＤＶＤに収録し、依頼先または印刷会社に送付する。
(57)【要約】      （修正有）【課題】強風時に幟がバタバタと振れて破損しない幟旗を提供する。【解決手段】同形の２枚のシート１ａ、１ｂ（布、プラスチックシート等）を重ね合わせ、前後縁をそれぞれ縫い合わせて幟１を構成する。縫い目９は連続しておらず、略一定間隔で切れ目が設けてあり、これらの切れ目が風が通り抜ける風穴１０を形成している。【選択図】図３
2006251789.tif 000002
【特許請求の範囲】
【請求項１】
２枚のシートを重ね合わせ、前後縁を断続的に綴じ合わせ、綴じ目が切れた部分に形成される風穴を通って２枚のシートの間を風が吹き抜けるようにした二重幟。
【請求項２】
前縁の該風穴を開いた状態に保持する手段を設けた請求項１に記載の二重幟
【請求項３】
二重幟の前縁に設けられた風穴を拡張するためのもので、フレームの両側に、雌雄のファスナを備えたベルトをそれぞれ取り付け、各シートに開けられた孔を通して該雌雄ファスナを嵌合するようにした風穴の拡張具。
【発明の詳細な説明】
【技術分野】
【０００１】
本発明は、店先などに立てる広告用の幟（のぼり）に関する。
【背景技術】
【０００２】
従来の幟は風が強いと、バタバタと左右に激しく振れ、破損したり旗竿に絡み付いたりする。
【発明の開示】
【発明が解決しようとする課題】
【０００３】
この発明は、強い風のときでも安定した状態で掲げておける二重幟を得ることを課題とする。
【課題を解決するための手段】
【０００４】
この発明の二重幟は、２枚のシートを重ね合わせ、前および後縁を断続的に綴じ合わせ、綴じ目の切れた部分に風穴を形成したものである（請求項１）。こうすることで、風穴を通って２枚のシートの間を風が吹き抜けるので、鯉のぼりと同様、強風時にも幟が安定し、左右に振れ回らない。このため、幟が破損したり、旗竿に絡み付いたりすることがない。
【０００５】
幟は従来から薄いシートで形成されるのが普通であり、裏から見ると表側の文字はほとんど判読できない。この発明では、幟が二重になっているので、それぞれのシートの表側を広告面として使用することができ、宣伝効果が高い。
【０００６】
なお、前縁の風穴に、これを開いた状態に保持する手段（例えばリング）を設け、これら風穴から風が入りやすいようにすることが好ましい（請求項２）。
【０００７】
この発明はさらに、前縁に設けられた風穴を拡張するために、幟本体に着脱できる拡張具を提供する。この拡張具はフレームの両側に、雌雄のファスナを備えたベルトをそれぞれ取り付け、各シートに開けられた孔を通して該雌雄ファスナを嵌合するようにしたものである（請求項３）。これによれば、拡張具を着脱自在に幟に装着することができ、強風時だけ取り付け、そうでないときは外して置けるので便利である。また幟には孔をあけるだけでよいので、幟自体安価に提供できる。
【発明を実施するための最良の形態】
【０００８】
この発明の実施例を図面に基づいて説明すると図１において、幟１の前縁と上縁に間隔を設けて乳（ループ状の帯）２、３が縫い付けてある。旗竿４は、その上端のキャップ５がしてあり、これに横棒６が回動自在に支持されている。縦縁の乳２は旗竿４に通し、上縁の乳３は横棒６を通すようにしてのぼりを立てる。符号７はコンククリート製の旗竿台である。
【０００９】
この発明の幟１は、同形の２枚のシート１ａ、１ｂ（布、紙、プラスチックシート等）を重ね合わせ、前後縁をそれぞれ縫い合わせて構成される。縫い目９は連続しておらず、略一定間隔で切れ目が設けてあり、これらの切れ目が風が通り抜ける風穴１０を形成している。
【００１０】
幟の上縁は風が通らないよう連続して縫い合わせてあり、下縁は縫い合わせないで開口１１になっている。
【００１１】
図２は使用状態における幟の断面を示したものである。風は前縁の風穴１０から２枚のシート１ａ、１ｂの間に入り、後縁の風穴１０から出て行く。こうして、２枚のシートの間を風が吹き抜けるので、強風のときも幟の左右の振れは小さく抑えられ、安定した状態を保持することができる。
【００１２】
図３は前縁の風穴１０に長円形のリング１２を縫い付けて、風穴が常に開いた状態に保持するようにしたものである。こうすれば、風をそこから幟の中に確実に流入させることができる。
【００１３】
図３のものはリングを縫い付けるので、手間がかかり、コスト高になる。そこで図４に示すものは、２枚のシートの前縁に孔１５をあけておき、それらの孔を利用して拡張具１６を取り付けるようにしたものである。拡張具は、左右に耳１７を取り付けたフレーム１８と、固定ベルト１９からなる。固定ベルトには、互に嵌合する雄雌のスナップファスナ２０が取り付けてあり、ベルト１９を耳１７に通し、通常は、雌雄のスナップ同士を嵌合しておく。幟に取り付けるときは、雌雄のスナップを切り離し、シートの孔１５に通すようにして再びスナップ同士を嵌合させる。
【図面の簡単な説明】
【００１４】
【図１】幟の立面図である。
【図２】図１のＡ−Ａ断面図である。
【図３】幟の前側風穴に、風が入りやすいよう、リングを取り付けた状態の斜視図である。
【図４】風穴の拡張具の斜視図である。
【符号の説明】
【００１５】
１    幟
１ａ、１ｂ  シート
９    縫い目（綴じ目）
１０  風穴
１２  リング
１６  拡張具
１８  フレーム
１９  ベルト
２０  ファスナ（スナップ）
【図１】
2006251789.tif 000003
【図２】
2006251789.tif 000004
【図３】
2006251789.tif 000005
【図４】
2006251789.tif 000006
(57)【要約】【課題】  電子写真装置において、高電圧を印加する帯電装置から発生するオゾンによる感光体の劣化を防止し、常に安定した画像を維持する。【解決手段】  電子写真装置１４の電源切断直前に、感光体１とクリーニングブラシ９およびブロア３を所定時間駆動させる。【選択図】  図１
2006251520.tif 000002
【特許請求の範囲】
【請求項１】
感光体と、
前記感光体表面を一様に帯電する帯電装置と、
印字データに応じて静電潜像を形成する露光手段と、
前記静電潜像を粉体インクであるトナーにより現像する現像装置と、
前記感光体上の前記トナー像を用紙に転写する転写装置と、
転写された後の前記感光体上の未転写トナーを清掃するクリーニングブラシと、
前記帯電装置および前記転写装置から発生するオゾンをブロアにより吸引除去するオゾン除去手段と、を備えた電子写真装置において、
前記電子写真装置の電源切断直前に、前記感光体と前記クリーニングブラシおよび前記ブロアが所定時間駆動することを特徴とする電子写真装置。
【発明の詳細な説明】
【技術分野】
【０００１】
本発明は、オゾン除去手段を備えた電子写真装置に関するものである。
【背景技術】
【０００２】
図１に従来の電子写真装置におけるオゾン除去手段を示す。従来の電子写真装置におけるオゾン除去手段は、ファンまたはブロア装置を備え、風力を利用することによりオゾンを除去するものがある。これらの装置によるオゾン除去は、電子写真装置が稼動中に随時、または、稼動状況に応じて実施されている（例えば、特許文献１参照）。
【０００３】
【特許文献１】特開平０８−２４８８４４号公報
【発明の開示】
【発明が解決しようとする課題】
【０００４】
しかしながら、電子写真装置の電源が切断された場合には、オゾン除去装置も同時に休止してしまい、微量のオゾンが電子写真装置の内部に停滞してしまう。特に、長期間の電源切断状態が継続する場合は、微量の残留オゾンによって、感光体はオゾン劣化してしまい印刷品質を悪化させてしまう不具合がある。
【０００５】
本発明の目的は、電子写真装置の長期間の停止、放置状態でのオゾンによる感光体の劣化を防止し、常に安定した画像を維持できる電子写真装置を提供することにある。
【課題を解決するための手段】
【０００６】
上記目的は、前記電子写真装置の電源切断直前に、前記感光体と前記クリーニングブラシおよび前記ブロアが所定時間駆動することにより達成される。
【発明の効果】
【０００７】
本発明によれば、前記電子写真装置の電源切断直前に、感光体とクリーニングブラシおよびブロアを駆動することによりオゾン吸引を行うため、電子写真装置が長期間停止、放置されてもオゾンによる感光体の劣化を防止でき、常に安定した画像を維持できる。
【発明を実施するための最良の形態】
【０００８】
電子写真装置の概念図を図１に示す。図１に示すように感光体１と、感光体１を一様に帯電させる帯電器２と、感光体１に静電潜像を形成する露光手段４と、潜像を現像する現像器５と、感光体１上のトナー像を用紙１２に転写する転写器６と、転写後の感光体１の清掃を行なうためのＡＣ除電器７、クリーニングブラシ９から構成される。また、帯電器２、転写器６にはブロア３によりオゾン吸引を行うためのダクト８が設けられている。
【０００９】
感光体１は、帯電器２により一様に帯電される。次に、感光体１は、コントローラ１３からの印字データに応じて露光手段４により静電潜像を形成し、現像器５により粉体インクであるトナー１０により感光体１上の静電潜像を現像する。現像された感光体１のトナー像は、転写器６により用紙１２に転写され、定着部（図示せず）により定着される。転写後の未転写トナー１１が付着している感光体１は、ＡＣ除電器７、クリーニングブラシ９により除電、清掃され、上記プロセスを繰り返す。
【００１０】
印刷が開始されると、帯電器２、転写器６においてオゾンが発生するが、オゾンは図１の矢印の方向に沿ってブロア３により吸引され、感光体１周辺より除去される。
【００１１】
図２に本発明に係る各部位の動作ブロックを示す。印刷業務が終了し電子写真装置の電源を切断する場合、コントローラ１３より、電子写真装置１４が電源ＯＦＦの信号を受け取り、感光体１、クリーニングブラシ９、ブロア３のみを所定時間駆動させる。このとき、帯電器２、転写器６は停止状態であり、帯電器２、転写器６周辺に停滞したオゾンは、ブロア３により吸引され除去される。また、感光体１表面の微量なオゾンも、クリーニングブラシ９により除去される。上記したプロセスが所定時間、例えば、１分間続いた後には上記プロセスは終了し、電子写真装置１４の電源は切断される。
【００１２】
本発明によれば、電子写真装置１４の電源切断時に、感光体１周辺の微量のオゾンも排出できるため、電子写真装置１４が長期間停止、放置状態となっても感光体１のオゾン劣化が発生しない。
【図面の簡単な説明】
【００１３】
【図１】本発明に係る実施形態の電子写真装置の概略図。
【図２】本発明に係る実施形態の動作ブロック図。
【符号の説明】
【００１４】
１は感光体、２は帯電器、３はブロア、４は露光手段、５は現像器、６は転写器、７はＡＣ除電器、８はダクト、９はクリーニングブラシ、１０はトナー、１１は未転写トナー、１２は用紙、１３はコントローラ、１４は電子写真装置である。
【図１】
2006251520.tif 000003
【図２】
2006251520.tif 000004
(57)【要約】【課題】  安価で簡易に構成できる電子写真装置の表示装置を提供する。【解決手段】  電子写真装置には、障害警告等を通知する操作パネル１の表示部３と、表示部に複数の発光色を発光させる発光体５，６と、発光体からの光を集光し３６０度の広角度範囲に拡散する光拡散部材とを備えた。光拡散部材にはプリズム２および回転可能な反射鏡１０を用いた。【選択図】  図１
2006251519.tif 000002
【特許請求の範囲】
【請求項１】
電子写真装置の状態を通知する操作パネル等の表示部と、
前記表示部に複数の表示色を発光させる発光体と、
前記発光体からの光を集光し３６０度の広角度範囲に拡散する光拡散部材と、を備えたことを特徴とする電子写真装置の表示装置。
【請求項２】
前記光拡散部材はプリズムであることを特徴とする請求項１記載の電子写真装置の表示装置。
【請求項３】
前記光拡散部材は３６０度回転可能な反射鏡であることを特徴とする請求項１記載の電子写真装置の表示装置。
【発明の詳細な説明】
【技術分野】
【０００１】
本発明は、電子写真装置における操作パネル等の表示装置に関するものである。
【背景技術】
【０００２】
従来の電子写真装置の全体図を図５に、操作パネル部の拡大図を図６に示す。図６に示すように、電子写真装置が起動して初期設定が終了すると、操作パネル１中のＬＥＤ等の発光体５，６によりバックライト４を緑色に点灯する。このとき、印刷を実行することができないエラー状態、又は、印刷を実行することはできるが何らかの障害警告が発生している場合以外は、バックライト４は緑色に点灯したままである。なお、障害警告が発生した場合およびエラー状態の場合には、発光体５，６によりバックライト４をそれぞれ黄色、赤色に点灯させる。そして、バックライト４は各々の状態が解消されるまで点灯し続け、上記エラーまたは障害警告が解消されると、再び緑色に戻るという動作を行なっている（例えば、特許文献１参照）。
【０００３】
【特許文献１】特開２００３−３１６２８７号公報
【発明の開示】
【発明が解決しようとする課題】
【０００４】
従来の技術によると、操作パネルに障害警告表示用として発光体を有し、障害警告時には発光体を点灯または点滅させているが、操作パネルの構造上、一方向のみしかバックライトを確認できなかった。
【０００５】
このため、オペレーターが操作パネルと対向していない方向に居て、なお且つ、障害警告用のブザー等が聞こえないような環境に居た場合は、障害警告を素早く認識できないという問題があった。
【０００６】
また、顧客等の要求により、発光体による広範囲の障害警告時の表示装置を追加する場合にあたっては、制御回路および発光体等の電気部品の追加が必要となるため高価なものになる可能性があった。
【課題を解決するための手段】
【０００７】
本発明は、電子写真装置の状態を通知する操作パネル等の表示部と、前記表示部に複数の表示色を発光させる発光体と、前記発光体からの光を集光し３６０度の広角度範囲に拡散する光拡散部材と、を備えたことを特徴とする。
【０００８】
また、光拡散部材にはプリズムおよび回転可能な反射鏡を用いたことを特徴とする。
【発明の効果】
【０００９】
本発明によれば、安易且つ安価な構成で電子写真装置の表示装置を提供することができる。
【発明を実施するための最良の形態】
【００１０】
以下、本発明の実施例を図１および図２を用いて説明する。
【００１１】
図１において、電子写真装置９の状態をＣＰＵ８が確認し、障害警告が発生した場合は、ドライバ７により、操作パネル１の表示部３の背面に位置する発光体５，６を点灯または点滅させ、バックライト４を点灯する。
【００１２】
このとき、操作パネル１上に配置された光拡散部材であるプリズム２は、図２に示すように、バックライト４を集光させ、３６０度の広角度範囲に拡散させる形状となっている。
【００１３】
これにより、オペレータは操作パネル１に対向する場所に居なくとも、障害警告時のバックライト４を確認することができる。
【００１４】
また、本発明の別の実施例を図３および図４を用いて説明する。ここでは、光拡散部材としてプリズム２の代わりに、回転可能な反射鏡１０を用いた場合の実施例である。
【００１５】
図４に光拡散部材として用いた反射鏡１０の形状を示す。図４に示すように、反射鏡１０は６枚の反射鏡から構成され、反射鏡同士とのなす角が６０°、軸１０ａと反射鏡とのなす角が４５°となるように中心軸１０ａに取り付けられている。反射鏡１０は、図３に示すように操作パネル１上に配置され、バックライト４を集光、反射させる。同時に、反射鏡１０は電子写真式印刷装置９の設置場所の空調や装置自身の発熱等による空気の流れを用いることにより矢印の方向に水平方向に回転され、３６０度の広角度範囲に拡散させることで、障害警告時のバックライト４を確認することができる。
【図面の簡単な説明】
【００１６】
【図１】本発明の電子写真装置の操作パネル部の拡大図である。
【図２】本発明の光拡散部材の形状を示す図である（プリズムを用いた場合）。
【図３】本発明の他の実施例での電子写真装置の操作パネル部の拡大図である。
【図４】本発明の他の実施例での光拡散部材の形状を示す図である（回転可能な反射鏡を用いた場合）。
【図５】従来の電子写真装置の全体図である。
【図６】従来の電子写真装置の操作パネル部の拡大図である。
【符号の説明】
【００１７】
１は操作パネル、２はプリズム、３は表示部、４はバックライト、５，６は発光体、７はドライバ、８はＣＰＵ、９は電子写真装置、１０は反射鏡、１０ａは反射鏡の回転中心軸である。
【図１】
2006251519.tif 000003
【図２】
2006251519.tif 000004
【図３】
2006251519.tif 000005
【図４】
2006251519.tif 000006
【図５】
2006251519.tif 000007
【図６】
2006251519.tif 000008
(57)【要約】      （修正有）【課題】バイオリンとビオラのためのビブラートの練習器である。体で無理なくビブラートの動きを覚え、筋力を付ける事により芸術性、技術力を向上できるように提供する。【解決手段】ビブラートを掛ける方向にレールを張った本体１に移動式指版２をかみ合わせ、実際のバイオリンでビブラートを掛けるようにトレーニングする。【選択図】図１
2006251802.tif 000002
【特許請求の範囲】
【請求項１】
本来のバイオリンの形から右側のカーブを取り除いた形にＸ度にレール（３）を張る。〔図２〕（Ｘ度とはバイオリンの対象線を線Ａとし、ビブラートを掛けたときの運動線を線Ｂとし、線Ａと線Ｂの接点を点Ｏとした時∠ＡＯＢの事である。
〔図１０，１１〕
そのレール（３）などに沿って動く移動式指版（２）でビブラートのトレーニングができる練習器。
【発明の詳細な説明】
【技術分野】
【０００１】本発明はバイオリン及びビオラの演奏に関するものである。
【背景技術】
【０００２】今まで、バイオリンの練習はバイオリンで行うという概念に囚われ適切な練習機がなかった。
【発明が解決しようとする課題】
【０００３】  改善は、バイオリン及びビオラにビブラートをかける際に正しい方向に手、指を誘導し、又必要な筋肉を付ける事ができるものである。
【課題を解決する手段】
【０００４】  本体（１）にレール（３）を張り、その上にいずれかの移動式指版のレールをかみ合わせ、移動式指版に指を任意の形に置き訓練する。［図１，１７］
【発明の効果】
【０００５】バイオリンの演奏にとってビブラートは心臓部であるにもかかわらず、指導する方も生徒も最も困難なことの１つである。その大きな理由は２つあり、１つは手、指をどのように動かせばいいのかわからない、２つ目は動かすための筋肉がないと言うものである。１つ目の問題は、移動式指版（２）がレール（３）に沿って動くので解決でき、２つ目の問題も移動式指版（２）にダンベル（９）を付けることにより解決できる。
バイオリンを始めるのは３，４歳が理想、遅くとも１０才までと言われている大きな理由は、指や手の関節の柔軟性が特に求められるからである。本発明は、上記の効果から適齢期を過ぎてから始める人に上達の可能性を与えるものである。
【発明を実施するための最良の形態】
【０００６】  バイオリンの対称線を線Ａ、ビブラートをかけた時の左手の動きの線を線Ｂとし、その交わる点を点Ｏとした時の∠ＡＯＢをＸ度とする。［図１０，１１］
バイオリン本来の形から、Ｇ線側のカーブを取り除き直線とする。［図１，２，３］参照。レール（３）［図１２］を、Ｘ度にカットし［図１３］、複数横に並べる［図１４］。それを先に述べた形に数箇所張付ける。［図２］
裏側に本来のバイオリンと同じ厚さの裏板（５）をつけ本来のバイオリンのネック形に沿って、切り込み（６）をいれる。これを本体（１）と呼ぶ。
本体の上に移動式指版のレールをかみ合わせ滑るようにする。
移動式指版には４種類あり、１つ目がスポンジゴムなどの滑り止め（７）＋板（８）＋レール（３）［図４］からなる。２つ目が１つ目にダンベル（９）を取り付けた形である。手、指に負荷を掛けることができ筋力トレーニングになる［図５］。
３つ目が、指穴付指版（１０）＋板（８）＋レール（３）である。指穴付指版は左指を穴により固定することができるものであり、演奏時押え辛くビブラートを掛ければ音程が狂ってしまいそうな和音［図１６］のビブラート訓練などに有効である。指穴は、バイオリンのＡ線で言うと下からＢ、Ｈ，Ｃ，Ｃｉｓ，Ｄ，Ｄｉｓ，Ｅと半音ずつ上がっていき、その辺りから半音の幅が狭くなるために、左右にずらし穴を設ける。ハイポジションでは、さらに半音の幅が狭くなるために、音に関係なく穴を設ける。［図９］参照。４つ目が、３つ目にダンベル（９）を取り付けた物である。
各移動式指板の裏にレール（３）をＸ度に張り［図８］本体のレールとかみ合わせる。かみ合わせ方は［図１５］である。
【産業上の利用可能性】
【０００７】少子化が進み、十分な人数の生徒を確保が難しくなりつつある今、中高年や、お年寄りが楽器を楽しまれることが多くなってきた。その人たちの大きな問題の１つに、ビブラートが挙げられる。いくら練習しても力が入るだけで満足な結果が得られない、誤ったかけ方のために腱鞘炎を起こすなど、続けられないようその１つであった。それらを、少しでも取り除くことができれば、これから、十分な生徒数の確保する為にも、本発明は有効である。又、子供が学習する際に手の固い子供、筋力の弱い子供にも有効である。
【図面の簡単な説明】
【０００８】
【図１】本体（１）に移動式指版を取り付けた図
【図２】本体（１）
【図３】本体の裏
【図４】滑り止めの移動式指版
【図５】滑り止めとダンベルの移動式指版
【図６】指穴付き指版の移動式指版
【図７】指穴付き指版とダンベルの移動式指版
【図８】各移動式指版の裏側
【図９】指穴付き指版の指穴の配置図
【図１０】角度Ｘの説明
【図１１】角度Ｘの説明
【図１２】レール
【図１３】Ｘ度にカットしたレール
【図１４】レールを複数並べた図
【図１５】レールのかみ合わせ方
【図１６】演奏時の押さえづらい和音例
【図１７】発明品使用時
【符号の説明】
【０００９】（１）本体  （２）移動式指版  （３）レール  （４）糸  （５）裏板  （６）切り込み  （７）滑り止め  （８）板  （９）ダンベル  （１０）指穴式指版
【図１】
2006251802.tif 000003
【図２】
2006251802.tif 000004
【図３】
2006251802.tif 000005
【図４】
2006251802.tif 000006
【図５】
2006251802.tif 000007
【図６】
2006251802.tif 000008
【図７】
2006251802.tif 000009
【図８】
2006251802.tif 000010
【図９】
2006251802.tif 000011
【図１０】
2006251802.tif 000012
【図１１】
2006251802.tif 000013
【図１２】
2006251802.tif 000014
【図１３】
2006251802.tif 000015
【図１４】
2006251802.tif 000016
【図１５】
2006251802.tif 000017
【図１６】
2006251802.tif 000018
【図１７】
2006251802.tif 000019